(57)【特許請求の範囲】
【請求項１】
内燃機関(21)の動力がユニットケース(20)に支持された変速装置(50)を介して出力されるパワーユニット(P)を搭載する車両であって、
変速用モータ(100)と、
前記変速用モータ(100)のモータ駆動軸(100a)の回転を伝達して前記変速装置(50)の変速段切換え用シフトスピンドル(55)を回動する変速動力伝達機構(110)と、
前記変速装置(50)を前記シフトスピンドル(55)の回動により作動させるべく設けられたクラッチ作動機構(70)および変速作動機構(80)とを備え、
前記変速用モータ(100)が作動して前記変速動力伝達機構(110)により前記シフトスピンドル(55)が回動することにより、前記変速作動機構(80)が駆動されて前記変速装置(50)の複数の変速段の切換えが所定のタイミングで実行されるパワーユニット(P)を搭載する車両において、
前記内燃機関(21)のクランク軸(22)と、前記変速装置(50)のメイン軸(51)と、前記変速装置(50)の出力軸であって出力スプロケット(13)が嵌着されるカウンタ軸(52)とが、前方から後方へ順に配置され、
前記シフトスピンドル(55)が前記クランク軸(22)の斜め後下方で前記カウンタ軸(52)の斜め前下方に配置され、
前記クランク軸(22)の側方を覆うユニットケースカバー(43)および前記カウンタ軸(52)の側方の前記出力スプロケット(13)を覆うスプロケットカバー(53)の下方に、前記変速動力伝達機構(110)を収容する変速動力伝達ケース(102)が配設され、
前記変速動力伝達ケース(102)は、車幅方向外側ケース(102L)と、前記ユニットケース(20)とは別体の内側ケース(102R)とが合体して構成され、前記内側ケース(102R)には取付孔(104r)が設けられ、
前記変速動力伝達機構(110)は、前記外側ケース(102L)および前記内側ケース(102R)の双方により軸支され、
前記変速動力伝達ケース(102)は、前記シフトスピンドル(55)の一部が前記変速動力伝達ケース(102)内に挿入された状態で、かつ前記シフトスピンドル(55)を中心に旋回調整された位置で前記取付孔(104r)に挿入された取付ボルト(38b)により前記ユニットケース(20)に取り付けられ、
前記変速用モータ(100)は、そのモータ駆動軸(100a)が前記変速動力伝達ケース(102)内に挿入された状態で前記変速動力伝達ケース(102)に保持され、
車幅方向に指向した中央水平部(33a)の両側が上側に屈曲して左右アーム部(33b,33b)を形成した後に車幅方向外側に屈曲して左右水平ステップ部(33c,33c)を形成したステップバー(33)が、前記シフトスピンドル(55)の斜め後下方の前記ユニットケース(20)の下面に前記中央水平部(33a)を固着されるとともに、かつ左右水平ステップ部(33c,33c)が前記ユニットケース(20)の側方に延出するように取り付けられ、
前記変速動力伝達ケース(102)および前記変速用モータ(100)が前記ステップバー(33)に干渉しないように前記変速動力伝達ケース(102)が前記ユニットケース(20)に取り付けられることを特徴とする車両。
【請求項２】
前記変速動力伝達機構(110)は、前記モータ駆動軸(100a)の回転を減速ギア(111)と中間ギア(112)を介して前記シフトスピンドル(55)に伝達し、
前記変速動力伝達ケース(102)内で、前記シフトスピンドル(55)、前記中間ギア(112)，前記減速ギア(111)が、略直線上に順次配置されることを特徴とする請求項１記載の車両。
【請求項３】
前記中間ギア(112)がクランクギア(112)であり、
前記シフトスピンドル(55)に嵌着された揺動アーム(116)が前記クランクギア(112)のクランクピン(114p)に係合して揺動可能とされることを特徴とする請求項２記載の車両。
【請求項４】
前記変速動力伝達機構(110)には、前記シフトスピンドル(55)、前記中間ギア(112)、前記減速ギア(111)が前方から後方へ順に配置され、
前記変速動力伝達ケース(102)が、前記シフトスピンドル(55)の挿入される前端部から前記ステップバー(33)の一方のアーム部(33b)の車幅方向内側を後方に延出し、後端部で前記変速用モータ(100)を支持することを特徴とする請求項２記載の車両。
【請求項５】
前記変速用モータ(100)は、前記変速動力伝達ケース(102)の後端部から車幅方向外側に突設され、
前記変速用モータ(100)の前方に前記ステップバー(33)の一方のアーム部(33b)が配置されることを特徴とする請求項４記載の車両。
【請求項６】
前記変速動力伝達機構(110)は、前記シフトスピンドル(55)、前記中間ギア(112)、前記減速ギア(111)が上方から下方へ順に配置され、
前記変速動力伝達ケース(172)が、前記シフトスピンドル(55)の挿入される上端部から下方に延出し、下端部で前記変速用モータ(100)を支持することを特徴とする請求項１記載の車両。
【請求項７】
排気管(30)がユニットケース(20)の下面に沿って前記変速用モータ(100)と車幅方向反対側に配設されることを特徴とする請求項１ないし請求項６のいずれか１項記載の車両。
【発明の詳細な説明】
【技術分野】
【０００１】
本発明は、ユニットケースに内燃機関と変速装置を一体に構成した車載パワーユニットにおける変速用モータの駆動をシフトスピンドルの回動に伝達する変速動力伝達機構を備える車両に関する。
【背景技術】
【０００２】
車載パワーユニットにおける変速装置の変速段を切り換えるシフトフォークやシフトドラム等の変速作動機構を作動させるシフトスピンドルが、変速用モータにより変速動力伝達機構を介して回動される例がある（例えば、特許文献１参照）。
【先行技術文献】
【特許文献】
【０００３】
【特許文献１】特開２００８−１７４１０９号公報
【０００４】
特許文献１には、ユニットケースに相当する左右クランクケース部材に回動自在にシフトスピンドルが車幅方向に指向して軸支されており、左クランクケース部材に左側方から変速用モータが取り付けられ、左クランクケース部材に挿入されたモータ駆動軸とシフトスピンドルとの間に第１，第２，第３ギアが順次噛合った変速動力伝達機構が介装され、この変速動力伝達機構をベアリングホルダが左クランクケース部材の内側から覆うとともに、左クランクケース部材との間でギア軸を支持する変速動力伝達構造が開示されている。
すなわち、左クランクケース部材とベアリングホルダが、ギア軸を支持し変速動力伝達機構を覆うケースとして構成されている。
【発明の概要】
【発明が解決しようとする課題】
【０００５】
特許文献１の変速動力伝達構造では、左クランクケース部材がギア軸を支持し変速動力伝達機構を覆うケースとして利用されているので、シフトスピンドルの位置に限らず当初より変速用モータの取付位置も含めてクランクケースは設計される。
すなわち、変速用モータの位置はクランクケース毎に決められており、変速用モータの位置を変更することはクランクケースの設計を変更することになり、大掛かりとなる。
【０００６】
このように、特許文献１に開示されたクランクケースには変速用モータの取付位置の自由度が全くないので、変速用モータの周りの部材のレイアウトも制約を受け、最適位置への取付けが妨げられることがある。
【０００７】
本発明は、かかる点に鑑みなされたもので、その目的とする処は、変速用モータの取付位置の自由度が大きく、変速用モータの周りの部材も最適位置にレイアウトすることが容易にできるパワーユニットの変速動力伝達構造を備える車両を供することにある。
【課題を解決するための手段】
【０００８】
上記目的を達成するために、請求項１記載の発明は、内燃機関(21)の動力がユニットケース(20)に支持された変速装置(50)を介して出力されるパワーユニット(P)を搭載する車両であって、変速用モータ(100)と、前記変速用モータ(100)のモータ駆動軸(100a)の回転を伝達して前記変速装置(50)の変速段切換え用シフトスピンドル(55)を回動する変速動力伝達機構(110)と、前記変速装置(50)を前記シフトスピンドル(55)の回動により作動させるべく設けられたクラッチ作動機構(70)および変速作動機構(80)とを備え、前記変速用モータ(100)が作動して前記変速動力伝達機構(110)により前記シフトスピンドル(55)が回動することにより、前記変速作動機構(80)が駆動されて前記変速装置(50)の複数の変速段の切換えが所定のタイミングで実行されるパワーユニット(P)を搭載する車両において、
前記内燃機関(21)のクランク軸(22)と、前記変速装置(50)のメイン軸(51)と、前記変速装置(50)の出力軸であって出力スプロケット(13)が嵌着されるカウンタ軸(52)とが、前方から後方へ順に配置され、前記シフトスピンドル(55)が前記クランク軸(22)の斜め後下方で前記カウンタ軸(52)の斜め前下方に配置され、前記クランク軸(22)の側方を覆うユニットケースカバー(43)および前記カウンタ軸(52)の側方の前記出力スプロケット(13)を覆うスプロケットカバー(53)の下方に、前記変速動力伝達機構(110)を収容する変速動力伝達ケース(102)が配設され、前記変速動力伝達ケース(102)は、車幅方向外側ケース(102L)と、前記ユニットケース(20)とは別体の内側ケース(102R)とが合体して構成され、前記内側ケース(102R)には取付孔(104r)が設けられ、前記変速動力伝達機構(110)は、前記外側ケース(102L)および前記内側ケース(102R)の双方により軸支され、前記変速動力伝達ケース(102)は、前記シフトスピンドル(55)の一部が前記変速動力伝達ケース(102)内に挿入された状態で、かつ前記シフトスピンドル(55)を中心に旋回調整された位置で前記取付孔(104r)に挿入された取付ボルト(38b)により前記ユニットケース(20)に取り付けられ、前記変速用モータ(100)は、そのモータ駆動軸(100a)が前記変速動力伝達ケース(102)内に挿入された状態で前記変速動力伝達ケース(102)に保持され、車幅方向に指向した中央水平部(33a)の両側が上側に屈曲して左右アーム部(33b,33b)を形成した後に車幅方向外側に屈曲して左右水平ステップ部(33c,33c)を形成したステップバー(33)が、前記シフトスピンドル(55)の斜め後下方の前記ユニットケース(20)の下面に前記中央水平部(33a)を固着されるとともに、かつ左右水平ステップ部(33c,33c)が前記ユニットケース(20)の側方に延出するように取り付けられ、前記変速動力伝達ケース(102)および前記変速用モータ(100)が前記ステップバー(33)に干渉しないように前記変速動力伝達ケース(102)が前記ユニットケース(20)に取り付けられることを特徴とする車両である。
【０００９】
請求項２記載の発明は、請求項１記載の車両において、前記変速動力伝達機構(110)は、前記モータ駆動軸(100a)の回転を減速ギア(111)と中間ギア(112)を介して前記シフトスピンドル(55)に伝達し、前記変速動力伝達ケース(102)内で、前記シフトスピンドル(55)、前記中間ギア(112)，前記減速ギア(111)が、略直線上に順次配置されることを特徴とする。
【００１０】
請求項３記載の発明は、請求項２記載の車両において、前記中間ギア(112)がクランクギア(112)であり、前記シフトスピンドル(55)に嵌着された揺動アーム(116)が前記クランクギア(112)のクランクピン(114p)に係合して揺動可能とされることを特徴とする。
【００１１】
請求項４記載の発明は、請求項２記載の車両において、前記変速動力伝達機構(110)には、前記シフトスピンドル(55)、前記中間ギア(112)、前記減速ギア(111)が前方から後方へ順に配置され、前記変速動力伝達ケース(102)が、前記シフトスピンドル(55)の挿入される前端部から前記ステップバー(33)の一方のアーム部(33b)の車幅方向内側を後方に延出し、後端部で前記変速用モータ(100)を支持することを特徴とする。
【００１２】
請求項５記載の発明は、請求項４記載の車両において、前記変速用モータ(100)は、前記変速動力伝達ケース(102)の後端部から車幅方向外側に突設され、前記変速用モータ(100)の前方に前記ステップバー(33)の一方のアーム部(33b)が配置されることを特徴とする。
【００１３】
請求項６記載の発明は、請求項１記載の車両において、前記変速動力伝達機構(110)は、前記シフトスピンドル(55)、前記中間ギア(112)、前記減速ギア(111)が上方から下方へ順に配置され、前記変速動力伝達ケース(172)が、前記シフトスピンドル(55)の挿入される上橋部から下方に延出し、下端部で前記変速用モータ(100)を支持することを特徴とする。
【００１４】
請求項７記載の発明は、請求項１記載の車両において、前記変速動力伝達機構(110)は、前記シフトスピンドル(55)、前記中間ギア(112)、前記減速ギア(111)が上方から下方へ順に配置され、前記変速動力伝達ケース(172)が、前記シフトスピンドル(55)の挿入される上端部から下方に延出し、下端部で前記変速用モータ(100)を支持することを特徴とする。
【発明の効果】
【００１８】
請求項１記載の車両によれば、変速動力伝達機構(110)を収容する変速動力伝達ケース(102)は、シフトスピンドル(55)の一部が変速動力伝達ケース(102)内に挿入されてユニットケース(20)に取り付けられ、変速用モータ(100)がモータ駆動軸(100a)を変速動力伝達ケース(102)内に挿入して変速動力伝達ケース(102)に保持されるので、シフトスピンドルを中心に変速動力伝達ケース(102)を変速動力伝達機構(110)および変速用モータ(100)とともに旋回移動した種々の位置でユニットケース(20)に取り付けることができ、変速動力伝達ケース(102)および変速用モータ(100)の配置の自由度が大きい。したがって、変速用モータ(100)の周りの部材のレイアウトも変速用モータ(100)に制約されず、最適位置にレイアウトすることが可能である。
また、内燃機関(21)のクランク軸(22)と、変速装置(50)のメイン軸(51)と、出力軸であって前記出力スプロケット(13)が嵌着されるカウンタ軸(52)とが、前方から後方へ順に配置され、シフトスピンドル(55)がクランク軸(22)の斜め後下方で前記カウンタ軸(52)の斜め前下方に配置されるので、このシフトスピンドル(55)を中心に変速動力伝達ケース(102)および変速用モータ(100)が一体となって旋回した種々の位置のうち、クランク軸(22)の側方を覆うユニットケースカバー(43)およびカウンタ軸(52)の側方の出力スプロケット(13)を覆うスプロケットカバー(53)の下方の空間を利用して変速動力伝達ケース(102)を配設することで、ユニットケース(20)の側方をコンパクトにレイアウトしてパワーユニット(P)の小型化を図ることができる。
そして、車幅方向に指向した中央水平部(33a)の両側が上側に屈曲して左右アーム部(33b,33b)を形成した後に車幅方向外側に屈曲して左右水平ステップ部(33c,33c)を形成したステップバー(33)が、前記シフトスピンドル(55)の斜め後下方のユニットケース(20)の下面に前記中央水平部(33a)を固着されて左右水平ステップ部(33c,33c)をユニットケース(20)の側方に延出して取り付けられるので、このステップバー(33)の中央水平部(33a)の斜め前上方位置にあるシフトスピンドル(55)を中心に変速動力伝達ケース(102)と変速用モータが旋回する種々の位置のうち、変速動力伝達ケース(102)および変速用モータ(100)がステップバー(33)に干渉しない位置を選んで変速動力伝達ケース(102)を容易にユニットケース(20)に取り付けることができる。
また、その際、変速動力伝達ケース(102)の内側ケース(102R)に設けた取付孔(104r)に取付ボルト(38b)を挿通して内側ケース(102R)をまずユニットケース(20)に固定することが可能となることで、内側ケース(102R)を予め固定したうえで、それ以後の作業を行うことができる。
【００１９】
請求項２記載の車両によれば、変速動力伝達機構(110)は、モータ駆動軸(100a)の回転を減速ギア(111)と中間ギア(112)を介してシフトスピンドル(55)の回動に伝達し、変速動力伝達ケース(102)内で、シフトスピンドル(55)，中間ギア(112)，減速ギア(111)が、略直線上に順次配置されるので、一直線上に並ぶシフトスピンドル(55)と中間ギア(112)と減速ギア(111)が占める並び方向と直角方向の最大幅を狭く抑えることができ、コンパクトな効率の良い配置レイアウトを構成することができる。また、シフトスピンドル(55)からできるだけ変速用モータ(100)を離して変速用モータ(100)の配置の自由度を大きくすることができる。
【００２０】
請求項３記載の車両によれば、中間ギア(112)がクランクギア(112)であり、シフトスピンドル(55)に嵌着された揺動アーム(116)がクランクギア(112)のクランクピン(114p)に係合して揺動するので、揺動アーム(116)が減速ギア(111)に干渉しない小型の揺動構造を構成することができる。
【００２１】
請求項４記載の車両によれば、変速動力伝達機構(110)に、シフトスピンドル(55)、中間ギア(112)、減速ギア(111)が前方から後方へ順に配置され、変速動力伝達ケース(102)が、シフトスピンドル(55)の挿入される前端部からステップバー(33)の一方のアーム部(33b)の車幅方向内側を後方に延出し、後端部で変速用モータ(100)を支持するので、変速動力伝達ケース(102)は、ユニットケースカバー(43)およびスプロケットカバー(53)の下方空間を後端部の変速用モータ(100)とともにステップバー(33)と干渉せずに前後方向に延びてコンパクトに配置され、パワーユニット(P)を小型に構成できる。
【００２２】
請求項５記載の車両によれば、変速用モータ(100)は変速動力伝達ケース(102)の後端部から車幅方向外側に突設され、変速用モータ(100)の前方にステップバー(33)の一方のアーム部(33b)が配置されるので、ステップバー(33)のアーム部(33b)により変速用モータ(100)が飛石等から保護される。
【００２３】
請求項６記載の車両によれば、変速動力伝達機構(110)は、シフトスピンドル(55)、中間ギア(112)、減速ギア(111)が上方から下方へ順に配置され、変速動力伝達ケース(172)が、前記シフトスピンドル(55)の挿入される上端部から下方に延出し、下端部で前記変速用モータ(100)を支持するので、シフトスピンドル(55)の斜め後下方のユニットケース(20)の下面に水平中央部(33a)が固着されたステップバー(33)と干渉せずに変速動力伝達ケース(102)をシフトスピンドル(55)から下方に延出して配置でき、その下端部に変速用モータ(100)が支持されるため、重量物である変速用モータ(100)を下方に配置して車両の低重心化を図ることができる。
【００２４】
請求項７記載の車両によれば、排気管(30)がユニットケース(20)の下面に沿って変速用モータ(100)と車幅方向反対側に配設されるので、変速用モータ(100)が排気管(30)の熱の影響を受けて高温になるのを防止することができる。
【図面の簡単な説明】
【００２８】
【図１】本実施形態に係るパワーユニットを搭載した車両である自動二輪車の正面図である。
【図２】同自動二輪車の側面図である。
【図３】同自動二輪車の要部下面図である。
【図４】パワーユニットの左側面図である。
【図５】パワーユニットの左ユニットケース等を省略して示した左側面図である。
【図６】パワーユニットのユニットケース内部を断面で示した部分断面図（図４のＶＩ−ＶＩ線断面図）である。
【図７】パワーユニットの右側ユニットケースカバーを外した右側面図である。
【図８】図７の状態よりさらに発進クラッチや変速クラッチを省略したパワーユニットの右側面図である。
【図９】パワーユニットの左側変速動力伝達ケース，スプロケットカバーを外した状態の左側面図である。
【図１０】パワーユニットの変速機構の断面図（図７，図８，図９のＸ−Ｘ線断面図）である。
【図１１】左側変速動力伝達ケースの左側面図である。
【図１２】右側変速動力伝達ケースの左側面図である。
【図１３】右側変速動力伝達ケースの右側面図である。
【図１４】クランクギアの正面図である。
【図１５】同側面図である。
【図１６】揺動アームの正面図である。
【図１７】同側面図である。
【図１８】クランクギアと揺動アームを組み合わせた一状態を示す斜視図である。
【図１９】変速段確立時のクランクピンの旋回状態と揺動アームの揺動状態を示す説明図である。
【図２０】１速段から２速段にシフトアップする時のクランクピンの旋回状態と揺動アームの揺動状態を示す説明図である。
【図２１】２速段から１速段にシフトダウンする時のクランクピンの旋回状態と揺動アームの揺動状態を示す説明図である。
【図２２】１速段から２速段にシフトアップする時の旋回角αに対する揺動角θの変化を直角座標に示した図である。
【図２３】２速段から１速段にシフトダウンする時の旋回角βに対する揺動角φの変化を直角座標に示した図である。
【図２４】別の実施形態に係るパワーユニットを備えた車両の左側面図である。
【発明を実施するための形態】
【００２９】
以下、本発明に係る一実施形態について図１ないし図２３に基づいて説明する。
本実施形態に係るパワーユニットＰを搭載した自動二輪車１の正面図を図１に、側面図を図２に示す。
【００３０】
自動二輪車１の車体フレーム２は、図２を参照して、車体前側のヘッドパイプ３から斜め後下方にメインパイプ４が延び、メインパイプ４の後部からはセンターフレーム５，５が左右に広がって下方に延び、メインパイプ４のセンターフレーム５，５よりいくらか前方からは斜め後上方に左右一対のリヤパイプ６，６が延出し途中略水平に屈曲して後方に延び、左右に広がったセンターフレーム５の左右側部とリヤパイプ６，６の後部との間にバックステー７，７が介装されて構成されている。
【００３１】
ヘッドパイプ３にはステアリングシャフト８が回転自在に枢支されており、このステアリングシャフト８の下側にサスペンションを備えたフロントフォーク９が延設され、フロントフォーク９の下端に前輪Fwが軸支されている。
ステアリングシャフト８の上部には左右に展開したハンドルバー８ｂが取り付けられている。
センターフレーム５にピボット軸10により前端を軸支されたリヤフォーク11が後方に延出し、その上下に揺動する後端に後輪Rwが軸支され、リヤフォーク11の後部とリヤパイプ６との間にリヤクッション12が介装されている。
【００３２】
メインパイプ４の下方に内燃機関21と変速装置50がユニットケース20に一体に構成されたパワーユニットＰが、メインパイプ４とセンターフレーム５に支持されて懸架されている。
パワーユニットＰの出力軸（後記するように変速装置のカウンタ軸52）に嵌着された出力スプロケット13がピボット軸10の直ぐ前方に位置しており、同出力スプロケット13と後方の後輪Rw側の被動スプロケット14との間にチェーン15が架渡されている。
【００３３】
リヤパイプ６，６の傾斜部には燃料タンク16が架設されて、同燃料タンク16およびリヤパイプ６，６の後側水平部の上をシート17が覆っている。
車体フレーム２は概ね車体カバー18で覆われている。
センターフレーム５の下端部にはメインスタンド19の基端部が軸支されている。
【００３４】
概ね、以上のように構成される自動二輪車１に搭載されるパワーユニットＰは、ユニットケース20の前半に内燃機関21、後半に変速装置50が主として構成されるもので、内燃機関は、空冷式単気筒４ストローク内燃機関であり、変速装置50は４段変速の変速ギア噛合機構である。
【００３５】
図４のパワーユニットＰの左側面図を参照して、内燃機関21は、ユニットケース20をクランクケースとしており、車幅方向（左右方向）に指向したクランク軸22がユニットケース20に回転自在に軸支されており、ユニットケース20の前部にシリンダブロック23とシリンダヘッド24が順次重ねられて一体に締結されて水平近くまで前傾して突出し、シリンダヘッド24の上にはシリンダヘッドカバー25が被せられている。
【００３６】
略水平に突出したシリンダヘッド24の上面から吸気管26が上方に延出しており、吸気管26はスロットルボディ27を介してメインパイプ４の前部に吊設されたエアクリーナ28に接続されている（図２参照）。
シリンダヘッド24の下面からは排気管30が下方に延出しており、下方に延出した排気管30は、直ぐに水平に屈曲し、図３の自動二輪車１の要部下面図に示すように、後方へ斜め右側に偏りながら延びユニットケース20の一部下面を通り過ぎて車体の右側に出て、真直ぐ後方に延びて後輪Ｒｗの右側のマフラー31に接続されている。
【００３７】
ユニットケース20の下面には、図３に示すように、ステップバー33が取付金具32，32により固着されている。
ステップバー33は、車幅方向に指向した中央水平部33ａの両側が上側に屈曲して左右アーム部33ｂ，33ｂを形成した後に車幅方向外側に屈曲して左右水平ステップ部33ｃ，33ｃを形成しており、ユニットケース20の下面に中央水平部33ａを取付金具32，32により固着して取り付けられる。
【００３８】
ステップバー33の左右アーム部33ｂ，33ｂは、中央水平部33ａよりパワーユニットＰの左右側面に沿って斜め前上方に延びており、同左右アーム部33ｂ，33ｂの上端で外側に屈曲した左右水平ステップ部33ｃ，33ｃにはステップ部材34，34が取り付けられている。
ステップ部材34は、前後に長い直方体状をなしている。
なお、中央水平部33ａの右側部は前後に延びる排気管30を下方から跨ぐように屈曲している。
【００３９】
図６に示すように、ユニットケース20は、左ユニットケース20Ｌと、右ユニットケース20Ｒの左右割りで構成され、左ユニットケース20Ｌと右ユニットケース20Ｒとを一体化結合することで形成される内空間は前側にクランク室20ｃ、後側に変速室20ｍが形成されており、クランク室20ｃにはクランク軸22が左右ユニットケース20Ｌ，20Ｒに主軸受22ｂ，22ｂを介して回転自在に架設され、変速室20ｍには変速装置50等の変速機構が収容される。
【００４０】
シリンダブロック23内に一体成型されたシリンダライナー23ｃの中をピストン35が往復摺動し、ピストン35とクランク軸22がコンロッド36によって連接されてクランク機構を構成している。
【００４１】
クランク軸22の左ユニットケース20Ｌから左側方へ突出する左側クランク軸部22Ｌには、主軸受22ｂ近傍に動弁駆動系の駆動スプロケット40が嵌着され、左端にはＡＣジェネレータ41が設けられ、駆動スプロケット40とＡＣジェネレータ41との間に始動機構の被動ギア42が嵌着されている。
左ユニットケース20Ｌの左側に突設されるＡＣジェネレータ41は、左側ユニットケースカバーであるＡＣＧカバー43により左側から覆われる。
【００４２】
一方、右ユニットケース20Ｒから右側方へ突出する右側クランク軸部22Ｒには、遠心式の発進クラッチ45が設けられている。
発進クラッチ45は、右側クランク軸部22Ｒに一体に固着されたクラッチインナ45ｉの周りをクラッチアウタ45ｏが回転自在に支持されており、クランク軸22の回転数（機関回転数）が所定回転数を越えるとクラッチインナ45ｉのクラッチシューがクラッチアウタ45ｏに圧接されて動力が伝達される。
右側クランク軸部22Ｒにはクラッチアウタ45ｏの左側に接して共に回転するプライマリドライブギア46が右側クランク軸部22Ｒに回転自在に軸支されている。
【００４３】
ユニットケース20の後側内空間である変速室20ｍには、クランク軸22の後方位置にクランク軸22と平行にメイン軸51が左右ユニットケース20Ｌ，20Ｒに軸受51ｂ，51ｂを介して回転自在に架設されるとともに、メイン軸51のさらに後方位置にメイン軸51と平行にカウンタ軸52が左右ユニットケース20Ｌ，20Ｒに軸受52ｂ，52ｂを介して回転自在に架設されている（図６参照）。
クランク軸22，メイン軸51，カウンタ軸52は、この順に前方から後方へ直線的に並んで配設されている（図４，図５参照）。
【００４４】
変速装置50は、メイン軸51上に配列されるギア列51Ｇとカウンタ軸52上に配列されるギア列52Ｇの１速段から４速段の各ギアどうしが互いに一方が軸とともに回転し他方が軸に対して自由に回転して常時噛合って構成されている。
そして、メイン軸51上のギア列51Ｇのうちのスプライン嵌合したシフタギア51gsが軸方向に移動して隣りのギアと断接することと、カウンタ軸52上のギア列52Ｇのうちのスプライン嵌合したシフタギア52gsが軸方向に移動して隣りのギアと断接することの組み合わせによって１速段から４速段のいずれかの変速段またはニュートラル状態が確立する。
【００４５】
メイン軸51は、右ユニットケース20Ｒから右側方に突出しており、この突出部に変速クラッチ60が設けられている。
変速クラッチ60のクラッチアウタ61は、メイン軸51にスリーブ69を介して相対回転自在に軸支されており、このクラッチアウタ61にプライマリドリブンギア47が緩衝部材48を介して取り付けられ、クランク軸22のプライマリドライブギア46の回転がこれと噛合うプライマリドリブンギア47をクラッチアウタ61とともに減速回転する。
【００４６】
メイン軸51の右端にはクラッチインナ62が一体に嵌着され、クラッチインナ62の周壁部外周にスプライン嵌合する複数の駆動摩擦板63とクラッチアウタ61の周壁部の内周にスプライン嵌合する被動摩擦板64とが交互に軸方向に配列され、クラッチインナ62の円板外周部とクラッチインナ62に軸方向に摺動自在に支持されたプレッシャプレート65の円板外周部との間に前記摩擦板63，64が挟まれている。
【００４７】
軸方向に摺動自在のプレッシャプレート65は、クラッチアウタ61の内部でクラッチインナ62より軸方向内側にあり、クラッチインナ62の円板部に周方向に複数穿孔された貫通孔をプレッシャプレート65から突出した複数の支持ボス65ｂが貫通しており、これら支持ボス65ｂの先端に環状のレリーズフランジ66がボルト67により締結されている（図６，図１０参照）。
【００４８】
レリーズフランジ66とクラッチインナ62との間に皿バネ状のクラッチバネ68が介装されて、このクラッチバネ68によりレリーズフランジ66と一体にプレッシャプレート65が右方向に付勢されてクラッチインナ62との間で摩擦板63，64を挟み込み、変速クラッチ60が接続状態に保持され、クラッチアウタ61の回転がクラッチインナ62さらにメイン軸51に伝達される。
レリーズフランジ66が左方に押され、クラッチバネ68に抗してプレッシャプレート65が左方に移動すると、プレッシャプレート65とクラッチインナ62との間隔が拡がり摩擦板63，64の挟み込みが緩み変速クラッチ60の接続状態が解除され切断される。
【００４９】
したがって、内燃機関21のクランク軸22の回転は、発進クラッチ45および変速クラッチ60を経て変速装置50のメイン軸51に伝達される。
右側クランク軸部22Ｒの右端に設けられる発進クラッチ45とメイン軸51の右端に設けられる変速クラッチ60は、右側ユニットケースカバー49により右側から覆われる。
なお、カウンタ軸52の左ユニットケース20Ｌを左方に貫通した端部に嵌着された出力スプロケット13は、スプロケットカバー53によりチェーン15が延出する後方を除き左側から覆われる。
【００５０】
図４のパワーユニットＰの側面視を参照して、クランク軸22の斜め後下方でカウンタ軸52およびメイン軸51の斜め前下方にシフトスピンドル55が配置されており、同シフトスピンドル55は、図１０に示すように、左右ユニットケース20Ｌ，20Ｒを左右方向に貫通し、さらに右側部が右側ユニットケースカバー49の軸受ボス部49ａを貫通し回転自在に軸支されている。
シフトスピンドル55はユニットケース20の下部に配置され、図４の側面視でステップ部材34の下方に位置する。
【００５１】
このシフトスピンドル55の回動が、クラッチ作動機構70と変速作動機構80をともに駆動し、一方のクラッチ作動機構70が前記変速クラッチ60を作動して変速クラッチ60の切断・接続を行い、他方の変速作動機構80が前記変速装置50を作動して変速装置50の変速段の切換えを行う（図１０参照）。
【００５２】
クラッチ作動機構70について、図７および図１０に基づいて説明する。
シフトスピンドル55における右側ユニットケースカバー49の軸受ボス部49ａに沿った部分にスプライン嵌合したスリーブ71にクラッチアーム72が溶接されて、シフトスピンドル55と一体にクラッチアーム72が揺動する。
【００５３】
一方、前記変速クラッチ60の環状のレリーズフランジ66の内周面にボールベアリング75の外輪が嵌着され、同ボールベアリング75の内輪に作動レバー74の回動中心の基端凹出部74ａが嵌入固着されている。
基端凹出部74ａは先端小径部と大径部の２段に亘って凹出しており、その先端小径部がボールベアリング75の内輪に嵌入されている。
この作動レバー74の回動する係合カム孔74ｃにクラッチアーム72の先端に突設されたローラ73が係合している。
【００５４】
右側ユニットケースカバー49のメイン軸51の延長上に固着された支軸76が、作動レバー74の基端凹出部74ａの大径部に右側から挿入されて作動レバー74を回動自在にまた軸方向に摺動自在に支持しており、作動レバー74の基端凹出部74ａの周囲の基端円板部74ｂに右側で対向して受け板77が右側ユニットケースカバー49に回動を規制されて支軸76に支持されている。
回動を規制された受け板77に対して回動自在の作動レバー74は、軸方向に移動可能で、前記変速クラッチ60のクラッチバネ68のバネ力がボールベアリング75を介して作用して右方向に付勢されている。
【００５５】
作動レバー74の基端円板部74ｂと受け板77の互いの対向する面には周方向に３箇所放射状に溝条74ｖ，77ｖが形成されていて、基端円板部74ｂと受け板77との間でリテーナ78により転動自在に保持された３個のレリーズボール79がクラッチバネ68に付勢された基端円板部74ｂと受け板77に挟まれて介在する。
【００５６】
変速クラッチ60が接続状態では、基端円板部74ｂと受け板77の対向した面の互いの３条の溝条74ｖ，77ｖが対向しており、３個のレリーズボール79がそれぞれ対向した溝条74ｖ，77ｖに落ち込んだ状態にある。
【００５７】
そして、変速時にシフトスピンドル55が回動すると、クラッチアーム72が揺動し、ローラ73と係合カム孔74ｃの係合を介して作動レバー74が所定のタイミングで回動するので、作動レバー74の基端円板部74ｂの溝条74ｖが受け板77の溝条77ｖに対して相対回動する。
すると、作動レバー74の基端円板部74ｂと受け板77に挟持されたレリーズボール79は、転動して互いの溝条74ｖ，77ｖの傾斜面を円滑に上りながら、作動レバー74を変速クラッチ60側（左側）に押圧して移動するため、ボールベアリング75を介してレリーズフランジ66がクラッチバネ68の付勢力に抗して左方に移動し、ともにプレッシャプレート65が左方に移動することで、変速クラッチ60の接続状態が解除され切断される。
【００５８】
以上のクラッチ作動機構70は、変速クラッチ60の外側（右側）で右側ユニットケースカバー49との間に構成されたが、変速装置50を作動して変速段の切換えを行う変速作動機構80は、変速クラッチ60の内側（左側）に構成される（図１０参照）。
【００５９】
前記変速装置50のメイン軸51上のシフタギア51gsおよびカウンタ軸52上のシフタギア52gsを軸方向に移動するシフトフォーク91，92は、図５に示すように、メイン軸51とカウンタ軸52の間の上方位置において左右ユニットケース20Ｌ，20Ｒ間に回動自在に架設されたシフトドラム90の回動により動作する。
【００６０】
図１０に示すように、シフトフォーク91，92は、基端部がシフトドラム90に相対回動自在に軸支されるとともに、基端部に突設された係合ピン91ｐ，92ｐをシフトドラム90の外周面に形成された所定形状のシフト溝に摺動自在に係合しており、シフトフォーク91，92の各先端部はシフタギア51gs，52gsにそれぞれ係合している。
したがって、シフトドラム90が回動すると、シフト溝に案内されて軸方向に移動する係合ピン91ｐ，92ｐを介してシフトフォーク91，92が軸方向に移動し、変速装置50の変速段の切換えを行う。
【００６１】
シフトドラム90の右端は、外周面が右ユニットケース20Ｒに摺動自在に嵌合支持されて、シフトドラム90の右側壁90ｒが右ユニットケース20Ｒの軸受開口から右側に露出しており、同右側壁90ｒの中央ボス部に星型プレート93がボルト94により固定されるとともに、右側壁90ｒのボルト94の周りに５本の係止ピン95が植設されている。
係止ピン95は、右側壁90ｒと星型プレート93の間に設けられる（図８，図１０参照）。
【００６２】
図８に示すように、星型プレート93の５つの放射方向に突出した山部を備える外周面に、支軸96ｐに軸支されスプリング98により揺動付勢されたストッパアーム96の先端に軸支された係止ローラ97が押圧されており、星型プレート93の山部と山部の間の谷に係止ローラ97が嵌って安定することで、シフトドラム90を所要位置に位置決めする。
【００６３】
このシフトドラム90を係止ピン95に作用して回動する機構が、右ユニットケース20Ｒの右側面に沿って構成されている。
図８および図１０を参照して、シフトスピンドル55に一体に変速アーム81が嵌着され、変速アーム81に隣接してシフトスピンドル55に相対回転自在にスリーブ82が外嵌され、このスリーブ82に変速レバー83の基端部が固着されている。
【００６４】
変速レバー83は、扇状をした揺動基端部83ａから上方にレバー部83ｂが延出しており、側面視で変速アーム81に重なる揺動基端部83ａには規制開孔83ｈが形成されるとともに、規制開孔83ｈの揺動中心側の辺にバネ係止片83ｆが左方に屈曲して形成されている。
変速アーム81は揺動基端部から延出したアーム部の先端が左方に屈曲してバネ係止片81ｆが形成され、このバネ係止片81ｆが変速レバー83の規制開孔83ｈを貫通している。
【００６５】
右ユニットケース20Ｒに右方に向けて突設された規制ピン84が、変速レバー83の揺動基端部83ａの規制開孔83ｈを貫通して先端が隣接する変速アーム81に近接している。
そして、スリーブ82の外周に巻回された戻しスプリング85の両端が互いにたすき掛けられて規制ピン84を挟み込むように延出している。
変速アーム81のバネ係止片81ｆと変速レバー83のバネ係止片83ｆは、規制ピン84の直径と同じ幅長を有し、戻しスプリング85の両端部により規制ピン84とともに挟まれている。
【００６６】
変速レバー83の上方に延びたレバー部83ｂの上端近傍には、連結ピン86により係止バー87が前端を連結されて後方に延び、シフトドラム90と星型プレート93の間に植設された５本の係止ピン95の下方を後方に延出している。
変速レバー83のレバー部83ｂの上端と係止バー87との間に引っ張りスプリング88が架渡されて、後方に延出した係止バー87を上方に揺動付勢して下側に旋回した係止ピン95に下方から当接している。
係止バー87は、上側縁に前後に係止爪87ｆ，87ｒが上方に突出している。
【００６７】
シフトスピンドル55に動力が加わらないときは、図８の実線で示すように、戻しスプリング85の両端が規制ピン84を挟むと同時に、変速アーム81のバネ係止片81ｆと変速レバー83のバネ係止片83ｆとを挟んで、シフトスピンドル55，バネ係止片83ｆ，規制ピン84，バネ係止片81ｆが一列に配列するように、変速アーム81および変速レバー83が位置している。
このとき、係止バー87は、引っ張りスプリング88の付勢力により前後の係止爪87ｆ，87ｒ間の上側縁を下側に旋回した２本の係止ピン95，95に当接している。
【００６８】
シフトスピンドル55に動力が加わり回動すると、シフトスピンドル55と一体の変速アーム81が戻しスプリング85に抗して揺動し、バネ係止片81ｆが変速レバー83に作用すると、変速レバー83も上方に延出したレバー部83ｂが前後方向に揺動し、連結ピン86により連結された係止バー87が前後方向に移動するので、係止バー87の前後の係止爪87ｆ，87ｒのいずれかが係止ピン95に係止してシフトドラム90を星型プレート93とともに回動する。
星型プレート93の回動でストッパアーム96の先端の係止ローラ97が星型プレート93の１つの山部頂上を越えたところで、係止ローラ97の押圧力で星型プレート93がシフトドラム90とともに係止ローラ97が谷に落ち着くまで所定角度回動する。
【００６９】
したがって、変速レバー83の揺動による係止バー87の前後方向の移動は、係止爪87ｆ，87ｒが係止ピン95に係止してシフトドラム90を回動し、共に回動する星型プレート93の山部頂上を係止ローラ97が越えるところまで、係止バー87は移動されればよい。
【００７０】
シフトドラム90が所定角度回動することで、シフト溝に案内されて軸方向に移動するシフトフォーク91，92が、変速装置50のシフタギア51gs，52gsを移動させて変速段の切換えを実行する。
なお、変速装置50における変速段の切換えが実行される前に前記変速クラッチ60は、接続を解除されて、変速段の切換えが円滑に行えるようにしている。
【００７１】
以上の変速作動機構80とクラッチ作動機構70の双方を駆動させるシフトスピンドル55は、変速用モータ100の駆動が変速動力伝達機構110を介して伝達されて回動する。
この変速動力伝達機構110について以下説明する。
シフトスピンドル55は、前記したように、クランク軸22の斜め後下方でカウンタ軸52およびメイン軸51の斜め前下方に配置されており（図４，図９参照）、左右ユニットケース20Ｌ，20Ｒを左右外側に貫通している（図１０参照）。
【００７２】
図１０に示すように、シフトスピンドル55の右ユニットケース20Ｒを貫通した右側部は、右側ユニットケースカバー49の軸受ボス部49ａをさらに貫通しており、シフトスピンドル55の右ユニットケース20Ｒと右側ユニットケースカバー49との間の部分に、クラッチ作動機構70のクラッチアーム72と変速作動機構80の変速アーム81が嵌着されている。
そして、シフトスピンドル55の右側ユニットケースカバー49の軸受ボス部49ａを貫通した右端部にシフトスピンドル55の右端部の回動角度を検出する角度センサ121が設けられている。
【００７３】
シフトスピンドル55の左ユニットケース20Ｌを貫通した左側部に、変速動力伝達機構110が設けられる（図１０参照）。
変速動力伝達機構110は、前後に長尺で左右幅が狭い扁平な変速動力伝達ケース102内に収容されている。
【００７４】
変速動力伝達ケース102は、左右割りの左側変速動力伝達ケース102Ｌと右側変速動力伝達ケース102Ｒが合体して構成され、変速動力伝達ケース102の前端部分にシフトスピンドル55が挿入されて、後方に向けて延設されている。
そして、変速動力伝達ケース102は、クランク軸22の側方のＡＣジェネレータ41を覆うユニットケースカバーであるＡＣＧカバー43およびカウンタ軸52の側方の出力スプロケット13を覆うスプロケットカバー53の下方に配設される（図４参照）。
【００７５】
図９には、左ユニットケース20Ｌの外側面（左側面）に右側変速動力伝達ケース102Ｒが取り付けられた状態が示されており、同右側変速動力伝達ケース102Ｒは、図１１に示すように、内側に前後長尺の概ね長円環状をした合せ面102Rsが形成され、環状合せ面102Rsの内側が右方に凹出して側壁102Rwが形成されている。
合せ面102Rsには、複数の取付孔102Rhが穿孔されている。
【００７６】
側壁102Rwには、前端にシフトスピンドル55が挿入される大径の円孔103ｒが形成され、後方上部に合せ面102Rsより低い取付面を有して取付孔104ｒが形成され、中央部の前後２か所に軸受穴105ｒ，106ｒが形成されている。
なお、円孔103ｒと軸受穴105ｒと軸受穴106ｒは、中心が略前後方向に一直線上に並んで配列されている。
【００７７】
右側変速動力伝達ケース102Ｒが左ユニットケース20Ｌに取り付けられたときは、図９に示すように、前部はシフトスピンドル55が円孔103ｒに挿入される位置で、後端はカウンタ軸52の斜め後下方に位置する。
【００７８】
他方、左側変速動力伝達ケース102Ｌは、図１２および図１３を参照して、右側変速動力伝達ケース102Ｒの合せ面102Rsに対応する合せ面102Ls、側壁102Rwに対向する側壁102Lwが形成され、合せ面102Lsには複数の取付孔102Rhにそれぞれ対応する取付孔102Lhが穿孔されている。
左側変速動力伝達ケース102Ｌの側壁102Lwには、右側変速動力伝達ケース102Ｒの円孔103ｒに対応してシフトスピンドル55の外径に略等しい内径の円孔103ｌが形成され、取付孔104ｒに対応して作業孔104ｌが穿孔され、軸受穴105ｒ，106ｒに対応して軸受穴105ｌ，軸受孔106ｌが形成されている。
円孔103ｌの周りは菱形の取付ボス部103ｂとなっている。
【００７９】
そして、左側変速動力伝達ケース102Ｌの側壁102Lwには、後部の中央高さ位置に変速用モータ100の駆動ギア軸100ａが貫通する小円孔107が形成され、小円孔107を中心とする大径の円環状リブ108が左方に突出して設けられている。
小円孔107は軸受孔106ｒよりも若干後方にあるが、円環状リブ108の内側に軸受孔106ｌと作業孔104ｌが位置している。
【００８０】
左側変速動力伝達ケース102Ｌと右側変速動力伝達ケース102Ｒが合体して構成される変速動力伝達ケース102内に変速動力伝達機構110が収容され、合体した左側変速動力伝達ケース102Ｌと右側変速動力伝達ケース102Ｒは、前端部の円孔103ｌ，103ｒにシフトスピンドル55の左端部を嵌挿させて後方に延設し、それぞれ対応する前２対、後１対の取付孔102Lh ，102Rhに取付ボルト102ｂを貫通して左ユニットケース20Ｌに締結され、左側変速動力伝達ケース102Ｌの大径の円環状リブ108には左側から変速用モータ100が取付基台101を介して取り付けられる（図４，図１０参照）。
変速用モータ100は取付基台101とともに変速動力伝達ケース102の前後方向中央の上下２対の取付孔102Lh ，102Rhに螺合される取付ボルト100ｂにより締結される（図４参照）。
【００８１】
なお、前２対のうち上側１対の取付孔102Lh ，102Rhは、ＡＣＧカバー43の後部の取付孔と同軸で、取付ボルト102ｂにより変速動力伝達ケース102とともにＡＣＧカバー43の後部を左ユニットケース20Ｌに共締めするのに用いられる（図１０参照）。
また、図９に示すように、右側変速動力伝達ケース102Ｒの環状の合せ面102Rsの内側の円孔104ｒは、出力スプロケット13の前側周囲を覆って出力スプロケット13に巻き掛けられるチェーン15をガイドするチェーンガイド38の下端部を右側変速動力伝達ケース102Ｒとともに取付ボルト38ｂにより左ユニットケース20Ｌに共締めするのに用いられる。
【００８２】
変速用モータ100が左側変速動力伝達ケース102Ｌの大径の円環状リブ108に取り付けられると、変速用モータ100の駆動ギア軸100ａが小円孔107を貫通して変速動力伝達ケース102内に突出し、駆動ギア軸100ａの回転が変速動力伝達ケース102内の変速動力伝達機構110を介してシフトスピンドル55に伝達される。
【００８３】
変速動力伝達機構110は、左側変速動力伝達ケース102Ｌと右側変速動力伝達ケース102Ｒとの間に、回転自在に軸支される減速ギア111とクランクギア112およびシフトスピンドル55に基端部を嵌着されたフォーク状をした揺動アーム116から構成されている。
減速ギア111は、大径ギア111ａと小径ギア111bを同軸一体に備え、軸部が左右の軸受孔106ｌと軸受穴106ｒに軸受117，117を介して軸支され、大径ギア111ａが小円孔107から貫入した変速用モータ100の駆動ギア軸100ａのギアと噛合する（図１０参照）。
【００８４】
クランクギア112は、図１４および図１５に示すように、円板状のギア部材113とクランク状をしたクランク部材114とが一体に嵌着されて形成されている。
ギア部材113の一側面には中心に軸部113ｃが突出しており、軸部113ｃから離れた位置に嵌合孔113ｈが形成されている。
クランク部材114は、ギア部材113の軸部113ｃと同軸となる中心軸部114ｃとクランクピン114ｐとを連結部114ａがクランク状に連結している。
【００８５】
このクランク部材114のクランクピン114ｐの先端をギア部材113の嵌合孔113ｈに嵌入し、軸部113ｃと中心軸部114ｃを同軸にして両者を一体に固着してクランクギア112が構成されている。
クランク部材114の連結部114ａとギア部材113との間は所定の間隔があり、クランクピン114ｐの同間隔部分に滑動スリーブ115が嵌挿されている。
【００８６】
クランクギア112は、ギア部材113の軸部113ｃが右側変速動力伝達ケース102Ｒの軸受穴105ｒに軸受118を介して軸支され、クランク部材114の中心軸部114ｃが左側変速動力伝達ケース102Ｌの軸受穴105ｌに軸受118を介して軸支され、ギア部材113の外周ギアが減速ギア111の小径ギア111bと噛合する（図１０参照）。
【００８７】
シフトスピンドル55に基端部116ａを嵌着される揺動アーム116は、図１６および図１７に示すように、基端部116ａにシフトスピンドル55をセレーション嵌合して固着する嵌合孔116ｈが形成され、この基端部116ａから直線的に延出したアーム部116ｂに形成された係合長孔116ｖが先端を開放してフォーク状を形成している。
【００８８】
揺動アーム116を嵌着したシフトスピンドル55は、揺動アーム116より先端部を、左側変速動力伝達ケース102Ｌの円孔103ｌを軸受119を介して軸支されながら貫通しており、貫通した左端部にシフトスピンドル55の左端部の回動角度を検出する角度センサ120が設けられる（図１０参照）。
そして、シフトスピンドル55に嵌着された揺動アーム116は、アーム部116ｂの係合長孔116ｖにクランクギア112のクランクピン114ｐを滑動スリーブ115を介して摺動自在に係合する。
【００８９】
図１８は、クランクギア112と揺動アーム116を組み合わせた一状態を示す斜視図であり、クランクギア112が中心軸部114ｃ， 113ｃの回転中心軸Ｐを中心に回転すると、クランクピン114ｐが旋回し、クランクピン114ｐが係合長孔116ｖで係合する揺動アーム116のアーム部116ｂをシフトスピンドル55の中心軸である揺動中心軸Ｑを中心に揺動する。
揺動アーム116の揺動は、揺動アーム116が嵌着されたシフトスピンドル55を一体に回動する。
【００９０】
本変速動力伝達機構110は、以上のように構成されており、変速用モータ100が駆動され、駆動ギア軸100ａが回転すると、図９および図１０を参照して、減速ギア111を介して減速されてクランクギア112の回動に伝達され、クランクギア112の回動はクランクピン114ｐを介して揺動アーム116を揺動し、揺動アーム116と一体のシフトスピンドル55を回動することになる。
そして、シフトスピンドル55が回動すると、クラッチ作動機構70が変速クラッチ60を作動してクラッチの切断・接続を行うとともに、変速作動機構80が変速装置50を作動して変速段の切換えを行う。
【００９１】
変速動力伝達機構110の減速ギア111とクランクギア112とシフトスピンドル55は、回転中心が略水平な同一直線上に前後方向に並んで配置されている（図９参照）。
したがって、略水平な直線上に並ぶ減速ギア111とクランクギア112とシフトスピンドル55が占める上下方向の最大幅を狭く抑えられているため、変速動力伝達機構110を収容する変速動力伝達ケース102も前後に長尺で上下幅が小さい。
【００９２】
このような変速動力伝達機構110を収容した変速動力伝達ケース102が、左ユニットケース20ＬにＡＣＧカバー43およびスプロケットカバー53の下方に配設されると、図４の側面視で前後に長尺の変速動力伝達ケース102は、ステップバー33の左アーム部33ｂの内側に重なり、シフトスピンドル55が貫通する前端部に取り付けられる角度センサ120は左アーム部33ｂの前側に位置し、後部に取り付けられる変速用モータ100は左アーム部33ｂの後方に位置し、コンパクトな効率の良い配置レイアウトを構成している（図１，図３，図４参照）。
【００９３】
変速動力伝達機構110は、変速用モータ100の駆動がクランクギア112のクランクピン114ｐを旋回して揺動アーム116とともにシフトスピンドル55を回動し、変速段の切換えを行う。
変速時におけるクランクピン114ｐの旋回（クランクギア112の回動）と揺動アーム116の揺動（シフトスピンドル55の回動）の状態を図１９ないし図２１に示す。
なお、図１９ないし図２１は、図９と同じく左側面視した説明図である。
図１９は変速段が確立しているときのクランクピン114ｐの旋回位置と揺動アーム116の揺動位置を示しており、クランクピン114ｐはクランクギア112の回転中心軸Ｐを中心に旋回し、揺動アーム116はシフトスピンドル55の中心軸である揺動中心軸Ｑを中心に揺動する。
【００９４】
図１９において、変速段が確立しているときの揺動アーム116の前記係合長孔116vが指向する径方向の直線Ｌとクランクピン114ｐが旋回する旋回円Ｃとが交わる２点位置が、変速段が確立しているときのクランクピン114ｐの旋回位置Ｓ，Ｒであり、このうちクランクピン114ｐのシフトスピンドル55に近い旋回位置Ｓが１速段，３速段が確立しているときの旋回位置であり、クランクピン114ｐのシフトスピンドル55から遠い旋回位置ＲがニュートラルＮ，２速段，４速段が確立しているときの旋回位置である。
【００９５】
クランクピン114ｐのシフトスピンドル55に近い旋回位置Ｓと遠い旋回位置Ｒとを一方から他方にクランクピン(55)が１旋回移動することで、揺動アーム(116)が１往復揺動してシフトスピンドルが１往復回動し、変速段が１段切り換わることになる。
【００９６】
本変速動力伝達機構110は、図９に図示するように、揺動アーム116がシフトスピンドル55から後方に延出して上下に揺動する構造であり、変速段が確立しているときの揺動アーム116の係合長孔116vが指向する径方向の直線Ｌは、略水平であり、クランクピン114ｐの旋回円Ｃの中心（クランクギア112の回転中心軸）Ｐは、直線Ｌより幾らか上方に位置する。
【００９７】
揺動アーム116が、略水平な直線Ｌより上側の範囲を揺動するときがシフトアップするときであり、直線Ｌより下側の範囲を揺動するときはシフトダウンするときである。
クランクピン114ｐの旋回中心Ｐが直線Ｌより若干上側に位置しているので、クランクピン114ｐが旋回位置Ｒと旋回位置Ｓとの間で上側の１８０度より僅かに大きい旋回角度Ａを旋回するとき揺動アーム116が直線Ｌより上側のシフトアップ範囲を往復揺動してシフトアップし、旋回位置Ｒと旋回位置Ｓとの間で下側の１８０度より僅かに小さい旋回角度Ｂを旋回するとき揺動アーム116が直線Ｌより下側のシフトダウン範囲を往復揺動してシフトダウンする。
【００９８】
いま、変速装置77を１速段から２速段にシフトアップするときの動きを、図２０の説明図および図２２の座標に示す。
図２０において、変速用モータ100の駆動ギア軸100ａを正回転させ、クランクピン114ｐが旋回位置Ｓから旋回位置Ｒに向けて時計回り（シフトアップ側）に旋回角α旋回したとき、揺動アーム116が揺動角θだけシフトアップ側（直線Ｌより上側）に揺動するものとすると、旋回角αに対する揺動角θは、図２２の直角座標に示すように変化する。
【００９９】
旋回角αは０度からＡ度まで変化し、その間揺動角θは０度から最大揺動角θＭを経て０度に戻る往復揺動をする。
揺動アーム116の揺動角θが最大揺動角θＭを示すときは、揺動アーム116の揺動中心軸Ｑとクランクピン114ｐの旋回位置とを結ぶ直線が、クランクピン114ｐの旋回円Ｃに上側で接するときであり、そのときの旋回角α（αＭ度）は、中央のＡ／２度より幾らか小さい角度である。
よって、図２２の座標に示すように、揺動角θは、旋回角αが０度からαＭ度までの増加よりαＭ度からＡ度までの減少の方が小さな角速度で緩やかに変化している。
【０１００】
揺動アーム116の揺動角θは、揺動アーム116と一体のシフトスピンドル55の回動角θであり、揺動アーム116の最大揺動角θＭは、シフトスピンドル55のシフトアップ時の往復回動角度θＭである。
図２２を参照して、クランクピン114ｐの旋回角αがα1度のときのシフトスピンドル55の回動角θ1度でクラッチ作動機構70のクラッチアーム72が作動レバー74を揺動してレリーズフランジ66を押して変速クラッチ60の接続解除（切断）が始まり、αＭ度の手前のα2度のときのシフトスピンドル55の回動角θ2度で変速作動機構80の係止バー87が係止ピン95に係止してシフトドラム90が回動を始めて変速装置50を１速段から２速段に切換えを開始し、αＭ度の後のα3度辺りでシフトドラム90の回動が停止して変速装置50を２速段に切換え、α３度のさらに後のα4度のときのシフトスピンドル55の回動角θ4度（＝θ1度）で変速クラッチ60が接続して２速段が確立する。
【０１０１】
２速段からさらに３速段に切り換えるときは、変速用モータ100を１速段から２速段のときとは逆回転の駆動することで、クランクピン114ｐが旋回位置Ｒから旋回位置Ｓに上側の大きい旋回角度Ａ側を反時計回りに旋回して揺動アーム116が直線Ｌより上側のシフトアップ側を揺動して変速段を２速段から３速段に切り換える。
したがって、旋回角αに対する揺動角θの変化は、図２２の特性曲線に沿って、１速段から２速段とは反対方向に旋回角αがＡ度から０度に減少するに従い揺動角θが変化することになる。
【０１０２】
したがって、クランクピン114ｐが旋回位置Ｒと旋回位置Ｓとの間を上側の大きい旋回角度Ａ側を旋回して、揺動アーム116が直線Ｌより上側のシフトアップ側を揺動することで、変速段がニュートラルＮから４速段まで順次シフトアップすることができる。
【０１０３】
これとは反対に、変速装置77をシフトダウンするときは、クランクピン114ｐが旋回位置Ｒと旋回位置Ｓとの間を下側の小さい旋回角度Ｂ側を旋回するように、変速用モータ100を駆動すれば、シフトスピンドル55とともに揺動アーム116が直線Ｌより下側のシフトダウン側を揺動してシフトダウンが実行される。
【０１０４】
いま、変速装置77を２速段から１速段へのシフトダウンするときの動きを、図２１の説明図および図２３の座標に示す。
図２１において、変速用モータ100の駆動ギア軸100ａを正回転させ、クランクピン114ｐが旋回位置Ｒから旋回位置Ｓに向けて時計回り（シフトダウン側）に旋回角β旋回したとき、揺動アーム116が揺動角φだけシフトダウン側（直線Ｌより下側）に揺動するものとすると、旋回角βに対する揺動角φは、図２３の直角座標に示すように変化する。
【０１０５】
旋回角βは０度からＢ度まで変化し、その間揺動角φは０度から最大揺動角φＭを経て０度に戻る往復揺動をする。
揺動アーム116の揺動角φが最大揺動角φＭを示すときは、揺動アーム116の揺動中心軸Ｑとクランクピン114ｐの旋回位置とを結ぶ直線が、クランクピン114ｐの旋回円Ｃに下側で接するときであり、そのときの旋回角β（βＭ度）は、中央のＢ／２度より幾らか大きい角度である。
よって、図２３の座標に示すように、揺動角φは、旋回角βが０度からβＭ度までの増加よりβＭ度からＢ度までの減少の方が大きな角速度で急激に変化している。
【０１０６】
揺動アーム116の揺動角φは、揺動アーム116の一体のシフトスピンドル55の回動角φであり、揺動アーム116の最大揺動角φＭは、シフトスピンドル55のシフトアップ時の往復回動角度φＭである。
図２３を参照して、クランクピン114ｐの旋回角βがβ1度のときのシフトスピンドル55の回動角φ1度でクラッチ作動機構70のクラッチアーム72が作動レバー74を揺動してレリーズフランジ66を押して変速クラッチ60の接続解除（切断）が始まり、βＭ度の手前のβ2度のときのシフトスピンドル55の回動角φ2度で変速作動機構80の係止バー87が係止ピン95に係止してシフトドラム90が回動を始めて変速装置77を１速段から２速段に切換えを開始し、βＭ度の後のβ3度辺りでシフトドラム90の回動が停止して変速装置77を２速段に切換え、β３度のさらに後のβ4度度のときのシフトスピンドル55の回動角φ4度（＝φ1度）で変速クラッチ60が接続して２速段が確立する。
【０１０７】
１速段からさらにニュートラルＮに切り換えるときは、変速用モータ100を２速段から１速段のときとは逆回転の駆動することで、クランクピン114ｐが旋回位置Ｓから旋回位置Ｒに下側の小さい旋回角度Ｂ側を反時計回りに旋回して揺動アーム116が直線Ｌより下側のシフトダウン側を揺動して変速段を１速段からニュートラルＮに切り換える。
したがって、旋回角βに対する揺動角φの変化は、図２３の特性曲線に沿って、２速段から１速段とは反対方向の旋回角βがＢ度から０度に減少するに従い揺動角φが変化することになる。
【０１０８】
したがって、クランクピン114ｐが旋回位置Ｒと旋回位置Ｓとの間を下側の小さい旋回角度Ｂ側を旋回して、揺動アーム116が直線Ｌより下側のシフトダウン側を揺動することで、変速段が４速段からニュートラルＮまで順次シフトダウンすることができる。
【０１０９】
変速装置50の変速段をシフトアップするときのクランクピン114ｐの旋回角度Ａの方がシフトダウンするときのクランクピン114ｐの旋回角度Ｂより若干大きくなるように変速作動機構80が設定されているので、シフトスピンドル55のシフトアップ時の往復回動角度θＭの方がシフトダウン時の往復回動角度φＭより僅かに大きい。
そのため、クランクピン114ｐの旋回角に対する揺動アーム116の揺動角（シフトスピンドル55の回動角）の変化は、シフトアップ時に図２２に示すような曲線をなし、シフトダウン時に図２３に示すような曲線をなし、シフトアップ時の方がシフトダウン時より幾らか大きく変化している。
【０１１０】
したがって、シフトアップ時とシフトダウン時の変速クラッチ60の接続解除（切断）が始まるシフトスピンドル55の回動角θ1と回動角φ1は変わりないが、回動角θ1と回動角φ1となる各旋回角α１と旋回角β１は異なり、変速クラッチ60の接続解除（切断）が始まるタイミンングが異なる。
同様に、シフトドラム90が回動を始めるシフトアップ時の旋回角α2とシフトダウン時の旋回角β2も異なり、すなわちシフトドラム90が回動を始めるタイミングも異なる。
【０１１１】
なお、シフトスピンドル55は、長尺であるので、ねじれが生じることがあるが、このねじれを検出することにより良好な切換えタイミングが可能となる。
そのため、シフトスピンドル55の両端部にそれぞれ角度センサ120，121を設けて両端部それぞれの回動角度を検出すれば、両者の差からねじれの程度を精度良く判断できる
【０１１２】
ねじれの程度が大きいときは、変速用モータ100の動きを元に戻して再試行するなどの対応がとられる。
本実施形態では、シフトスピンドル55の両端部にそれぞれ角度センサ120，121を設けたが、一方特に動力が入力される左端側とは反対の右側の角度センサ121だけでも予めシフトスピンドル55のねじれ特性を求めておいて、ねじれの程度を判断することができる。
【０１１３】
以上のように、本変速動力伝達機構110は、クランクギア112の側面に回転中心から偏心して突設されるクランクピン114ｐが揺動アーム116のアーム部116ｂに形成された係合長孔116ｖに摺動自在に係合して構成され、クランクギア112の回転がクランクピン114ｐと係合長孔116ｖとの係合を介して揺動アーム116を揺動しシフトスピンドル55を回動するので、簡単な構造で変速用モータ100の一方向の途中停止することのない駆動によるクランクギア112の一方向の回転を、揺動アーム116の滑らかに連続した往復揺動に変換し、揺動アーム116と一体のシフトスピンドル55を滑らかに連続して往復回動させることができ、変速段の切換えに要する時間を短縮することができる。
【０１１４】
変速動力伝達機構110を収容する変速動力伝達ケース102は、シフトスピンドル55の一部が変速動力伝達ケース102内に挿入されてユニットケース20に取り付けられ、変速用モータ100がモータ駆動軸100を変速動力伝達ケース102内に挿入して変速動力伝達ケース102に保持されるので、シフトスピンドル55を中心に変速動力伝達ケース(102)を変速用モータ(100)とともに旋回移動した種々の位置で変速動力伝達ケース(102)をユニットケース(20)に取り付けることができ、変速動力伝達ケース(102)および変速用モータ(100)の配置の自由度が大きい。
したがって、変速用モータ(100)の周りの部材のレイアウトも変速用モータ(100)に制約されず、最適位置にレイアウトすることが可能である。
【０１１５】
また、変速動力伝達機構110は、モータ駆動軸100ａの回転を減速ギア111とクランクギア112を介してシフトスピンドル55の回動に伝達し、変速動力伝達ケース102内で、シフトスピンドル55，クランクギア112，減速ギア111が、略直線上に順次配置されるので、一直線上に並ぶシフトスピンドル55とクランクギア112と減速ギア111が占める並び方向と直角方向の最大幅を狭く抑えることができ、コンパクトな効率の良い配置レイアウトを構成することができる。
また、シフトスピンドル55からできるだけ変速用モータ100を離して変速用モータ100の配置の自由度を大きくすることができる。
【０１１６】
シフトスピンドル55に嵌着された揺動アーム116がクランクギア112のクランクピン114ｐに係合して揺動するので、揺動アーム116が減速ギア111に干渉しない小型の揺動構造を構成している。
【０１１７】
内燃機関21のクランク軸22と、変速装置50のメイン軸51と、カウンタ軸52とが、前方から後方へ順に配置され、シフトスピンドル55がクランク軸22の斜め後下方でカウンタ軸52の斜め前下方に配置されるので、このシフトスピンドル55を中心に変速動力伝達ケース102および変速用モータ100が一体となって旋回した種々の位置のうち、クランク軸22の側方を覆うユニットケースカバー43およびカウンタ軸52の側方の出力スプロケット13を覆うスプロケットカバー53の下方の空間を利用して変速動力伝達ケース102を配設することで、ユニットケース20の側方をコンパクトにレイアウトしてパワーユニットＰの小型化を図ることができる。
【０１１８】
ステップバー33は、車幅方向に指向した中央水平部33ａの両側が上側に屈曲して左右アーム部33ｂ，33ｂを形成した後に車幅方向外側に屈曲して左右水平ステップ部33ｃ，33ｃを形成しており、シフトスピンドル55の斜め後下方のユニットケース20の下面に中央水平部33ａを固着されて左右水平ステップ部33ｃ，33ｃをユニットケース20の側方に延出して取り付けられるので、このステップバー33の中央水平部33ａの斜め前上方位置にあるシフトスピンドル55を中心に変速動力伝達ケース102と変速用モータ(100)が旋回する種々の位置のうち、変速動力伝達ケース102および変速用モータ100がステップバー33に干渉しない位置を選んで変速動力伝達ケース102を容易にユニットケース20に取り付けることができる。
【０１１９】
変速動力伝達機構(110)は、シフトスピンドル55，中間ギア112，減速ギア111が前方から後方へ順に配置され、変速動力伝達ケース102が、シフトスピンドル55の挿入される前端部からステップバー33の一方の左側アーム部33ｂの車幅方向内側を後方に延出し、後端部で変速用モータ100を支持するので、変速動力伝達ケース102は、ユニットケースカバー43およびスプロケットカバー53の下方空間を後端部の変速用モータ100とともにステップバー33と干渉せずに前後方向に延びてコンパクトに配置され、パワーユニットＰを小型に構成できる。
【０１２０】
変速用モータ100は、変速動力伝達ケース102の後端部から車幅方向外側（左側）に突設され、変速用モータ100の前方にステップバー33の一方の左側アーム部33ｂが配置されるために、ステップバー33のアーム部33ｂにより変速用モータ100が飛石等から保護される。
【０１２３】
次に、別の実施形態について図２４に基づき説明する。
前記したように、シフトスピンドル55を中心に変速動力伝達ケース102を変速用モータ100とともに旋回移動した種々の位置で変速動力伝達機構110をユニットケース20に取り付けることが可能であるので、本実施形態の変速動力伝達ケース172は、前記実施形態の図４に示す変速動力伝達ケース102をシフトスピンドル55を中心に旋回移動して、図２４に示すように、シフトスピンドル55から斜め前下方に延出してユニットケース20に取り付けられる。
【０１２４】
変速動力伝達ケース172内では、シフトスピンドル55，クランクギア112，前記減速ギア111が上方から下方へ順に配置されている。
シフトスピンドル55の斜め後下方のユニットケース(20)の下面に水平中央部33ａが固着されたステップバー33と干渉せずに変速動力伝達ケース172をシフトスピンドル55から下方斜めに延出して配置でき、その下端部に変速用モータ100が支持されるため、重量物である変速用モータ100を下方に配置して車両の低重心化を図ることができる。
【０１２５】
排気管30がユニットケース20の下面に沿って変速用モータ100と車幅方向反対側に配設されるので、変速用モータ100が排気管30の熱の影響を受けて高温になるのを防止することができる。
【符号の説明】
【０１２６】
１…自動二輪車、２…車体フレーム、４…メインパイプ、５…センターフレーム、13…出力スプロケット、14…被動スプロケット、15…チェーン、
Ｐ…パワーユニット、20…ユニットケース、21…内燃機関、22…クランク軸、30…排気管、31…マフラー、32…取付金具、33…ステップバー、33ａ…中央水平部、33ｂ…アーム部、33ｃ…水平ステップ部、34…ステップ部材、
40…駆動スプロケット、41…ＡＣジェネレータ、43…ＡＣＧカバー、45…発進クラッチ、50…変速装置、51…メイン軸、52…カウンタ軸、53…スプロケットカバー、55…シフトスピンドル、
60…変速クラッチ、70…クラッチ作動機構、80…変速作動機構、90…シフトドラム、
100…変速用モータ、100ａ…駆動ギア軸、101…取付基台、102…変速動力伝達ケース、103ｌ，103ｒ…円孔、107…小円孔、108…円環状リブ、
110…変速動力伝達機構、111…減速ギア、112…クランクギア、113…ギア部材、114…クランク部材、114ｐ…クランクピン、116…揺動アーム、116ｖ…係合長孔、
120，121…角度センサ、
152…変速動力伝達ケース、
172…変速動力伝達ケース。
【図１】
0005706711.tif 000002
【図２】
0005706711.tif 000003
【図３】
0005706711.tif 000004
【図４】
0005706711.tif 000005
【図５】
0005706711.tif 000006
【図６】
0005706711.tif 000007
【図７】
0005706711.tif 000008
【図８】
0005706711.tif 000009
【図９】
0005706711.tif 000010
【図１０】
0005706711.tif 000011
【図１１】
0005706711.tif 000012
【図１２】
0005706711.tif 000013
【図１３】
0005706711.tif 000014
【図１４】
0005706711.tif 000015
【図１５】
0005706711.tif 000016
【図１６】
0005706711.tif 000017
【図１７】
0005706711.tif 000018
【図１８】
0005706711.tif 000019
【図１９】
0005706711.tif 000020
【図２０】
0005706711.tif 000021
【図２１】
0005706711.tif 000022
【図２２】
0005706711.tif 000023
【図２３】
0005706711.tif 000024
【図２４】
0005706711.tif 000025